(57)【要約】本発明は、無線対話が可能な通信装置を関連付けする方法に関する。本方法は、無線対話が可能な通信装置間の関係を生成するステップを含んでおり、該ステップにより、該通信装置は、該通信装置間で本方法に従い独占的に対話することが可能になる。これら装置は、一意的かつ永続的な識別子を有しており、有線ネットワークに接続することができ、該有線ネットワークを通して情報をやり取りすることができる。この関連付けは、関連付けされる装置を唯一の有線ネットワークに接続することによる、その変更可能な態様により特徴付けすることができる。また、本発明は、かかる方法の実現を可能にする装置に関する。
2005503720.tif 000002
【特許請求の範囲】
【請求項１】
有線ネットワークへの接続手段と無線伝送手段とをそれぞれ有する無線通信可能な通信装置を関連付けする方法であって、該関連付けは、関連付けされた装置専用の無線通信を実現するために、関連付けされる無線通信装置を連続して相互承認することで達成され、
所与の装置の関連付けは、該装置と、関連付けされる少なくとも１つの他の無線通信装置からなる唯一の有線ネットワークへの接続により変更可能である、
ことを特徴とする方法。
【請求項２】
装置の接続のとき、ネットワークに接続されるそれぞれの装置は、
無線対話が可能な他の通信装置が該有線ネットワークに存在することを確認するステップ（２０，２１；３０；４０、４１）と、
変更可能なやり方で、前の関連付けされた通信装置の識別子を消去する、新たな関連付けされた通信装置の識別子を記憶するステップ（２６；３４；４５）と、
を実行することを特徴とする請求項１記載の方法。
【請求項３】
問題とする装置は、一度に唯一の関連付けされた通信装置を有することができる、
ことを特徴とする請求項２記載の方法。
【請求項４】
該確認するステップ（２１）で、無線対話が可能な１を超える他の通信装置が該有線ネットワークに接続されたことを問題とする装置が確認した場合、該関連付けする方法は終了される、
ことを特徴とする請求項３記載の方法。
【請求項５】
当該ステップ（２２）の間に、該問題とする装置が、該問題とする装置が物理的にリンクされていないその前の関連付けされた通信装置との無線通信を確立した場合、該方法を終了するために使用されたその前の関連付けされた通信装置との無線通信を試みるステップ（２２）を備える、
ことを特徴とする請求項４記載の方法。
【請求項６】
該問題とする装置は、一度に複数の関連付けされた通信装置を有する、
ことを特徴とする請求項２記載の方法。
【請求項７】
当該ステップ（３１）の間に、該問題とする装置が、物理的にリンクされていない少なくとも１つの前の関連付けされた通信装置との無線通信を確立した場合、該方法を終了するために使用されたその前の関連付けされた通信装置との無線通信を試みるステップを備える、
ことを特徴とする請求項６記載の方法。
【請求項８】
該確認するステップ（２０、２１；３０）で、該問題とする装置が、無線対話が可能な装置とは異なる他の装置が該有線ネットワークに接続されたことを確認した場合、該関連付けする方法が終了される、
ことを特徴とする請求項２乃至８のいずれか記載の方法。
【請求項９】
該有線ネットワークの構築段階又は再構築段階をそれぞれ生成又は変更させるため、所与の装置と該所与の装置が関連付けすることができる唯一の他の装置との間で物理リンクを生成するステップを備える、
ことを特徴とする請求項６記載の方法。
【請求項１０】
該確認するステップ（４１）で、該問題とする装置が、無線対話が可能な１を超える他の通信装置が該有線ネットワークに接続されたことを確認した場合、該関連付けする方法は終了される、
ことを特徴とする請求項９記載の方法。
【請求項１１】
該ネットワークに通信を確立することなしに接続される対話可能な唯一の装置は、その前の関連付けされた装置と通信を確立することなしに情報の伝達に成功することができる、
ことを特徴とする請求項１０記載の方法。
【請求項１２】
該記憶するステップの間、それぞれの装置は、該ネットワークに存在する装置と関連付けされるだけでなく、全ての該ネットワークに存在する装置の関連付けされた装置と関連付けされる、
ことを特徴とする請求項１１記載の方法。
【請求項１３】
該方法により達成される関連付けをユーザにより検証するステップを備える、
ことを特徴とする請求項１乃至１２のいずれか記載の方法。
【請求項１４】
使用される有線ネットワークは、ＩＥＥＥ１３９４規格に準拠するタイプのネットワーク（７１）である、
ことを特徴とする請求項１乃至１３のいずれか記載の方法。
【請求項１５】
装置の一意かつ永続的な識別子は、ＥＵＩ−６４アドレスである、
ことを特徴とする請求項１乃至１３のいずれか記載の方法。
【請求項１６】
該無線通信ネットワークは、Ｈｉｐｅｒｌａｎ２に対応するタイプのネットワーク（８１）である、
ことを特徴とする請求項１乃至１３のいずれか記載の方法。
【請求項１７】
無線対話が可能な通信装置であって、
その関連付けされている通信装置として指定された無線対話が可能な他の通信装置と無線通信する手段（７８，７９，８０）と、
有線ネットワークに接続された装置と通信するための手段（７２，７３）とを備え、
該有線ネットワークで、無線通信装置を検出するための手段（６０，６１）と、
無線対話が可能な他の通信装置との変更可能な関連付けを確立するための手段（７４，７５，７６，７７）と、
を備える通信装置。
【発明の詳細な説明】
【技術分野】
【０００１】
本発明は、通信ネットワークに関し、より詳細には、かかる通信ネットワークに接続される無線対話が可能な装置、及び該装置を関連付けするための方法に関する。
【背景技術】
【０００２】
現在、無線通信技術を使用することで通信バスをリンクさせるための規格を規定するための試みがなされている。一方で、ＩＥＥＥ（ＩＥＥＥ  Ｐ１３９４．１  “Ｄｒａｆｔ  Ｓｔａｎｄａｒｄ  ｆｏｒ  Ｈｉｇｈ  ｐｅｒｆｏｒｍａｎｃｅ  Ｓｅｒｉａｌ  Ｂｕｓ  Ｂｒｉｄｇｅｓ”）、及び他方で、ＥＴＳＩ（“Ｂｒｏａｄｂａｎｄ  Ｒａｄｉｏ  Ａｃｃｅｓｓ  Ｎｅｔｗｏｒｋ  （ＢＲＡＮ）；  ＨＩＰＥＲＬＡＮ  Ｔｙｐｅ  ２  Ｔｅｃｈｎｉｃａｌ  Ｓｐｅｃｉｆｉｃａｔｉｏｎ；  Ｐａｃｋｅｔ  ｂａｓｅｄ  ｃｏｎｖｅｒｇｅｎｃｅ  ｌａｙｅｒ”）による協賛の下で、これと並行した試みが行われている。
【０００３】
本出願により、２００１年６月１９日に提出された欧州特許出願ＥＰ０１１１４６９４．１には、無線通信ネットワーク、すなわち無線ネットワークを使用して、幾つかの通信バスをリンクさせるための処理が記載されている。この出願には、無線対話が可能な通信装置、すなわち「ワイヤレスボックス」と呼ばれる無線装置が記載されており、この無線装置は、有線のＩＥＥＥ１３９４規格に準拠したネットワークとＨｉｐｅｒｌａｎ２対応の無線通信ネットワークとの間でポータル機能を実行する。これらの装置の特徴のうちの１つは、それらがペアでの動作であることにある。事実上、所与の無線装置は、その関連付けされた通信装置として指定された、１つの他の無線装置と無線で通信することができる。このため、それぞれの無線装置は、その関連付けされた通信装置に固有の識別子を認識しており、この固有の識別子により、ある関連付けされた通信装置を他の関連付けされた識別子から区別することができる。欧州特許出願ＥＰ０１１１４６９４．１では、それぞれの無線装置に固有の識別子は、ＥＵＩ−６４と呼ばれるスタティックアドレスであり、該アドレスは、文献“ＩＥＥＥ  １３９４−１９９５  Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ”で必要とされ、任意の他の周辺装置による読出しアクセス可能なメモリに永続的に記憶される。
【０００４】
この２つの無線装置の関連付けを実現する最も簡単な方法は、製造における「バイ  コンストラクション」であり、それぞれの装置は、固有の識別番号（たとえば、ＥＵＩ−６４アドレス）を受ける。同時に、それぞれの装置は、その関連付けされた通信装置の（たとえば、フラッシュメモリのようなメモリに保持されている）識別子の番号を受ける。２つの無線装置は、該装置の無線通信プロトコルを使用してこれらの番号をやり取りすることができ、それらの関連付けされた通信装置との専用の無線通信を実行することができる。
【発明の開示】
【発明が解決しようとする課題】
【０００５】
しかし、この手順は幾つかの問題点を抱えている。２つの関連付けされた通信装置は、分離することができない。すなわち、一方の通信装置を他方の通信装置なしで使用することができない（たとえば、２つの通信装置のうちの一方を修理するとき、又は該一方が破壊したときに問題が生じる）。
【０００６】
また、同一人物がペアをなす２つの通信装置を所有している場合、ネットワークが完全に再起動されたときに該２つの通信装置を区別するために、該２つの通信装置のそれぞれを異なるようにマークしなければならない。
【課題を解決するための手段】
【０００７】
本発明の目的は、無線対話が可能な通信装置を提案することにある。この通信装置は、その関連付けされた通信装置であるとして指定された、無線対話が可能な他の通信装置との無線通信を行う手段と、有線ネットワークに接続された装置と通信するための手段とを備えており、無線対話が可能な他の通信装置と変更可能な関連付け（ａｓｓｏｃｉａｔｉｏｎ）を確立するための手段を備えることを特徴としている。
【０００８】
以下では、先に既に説明された用語「無線装置」は、かかる装置を指定するために使用される。
【０００９】
本発明の別の目的は、先に説明されたような無線装置を関連付けする変更可能な方法を提案することにあり、該方法により、最初に関連付けされた通信装置を分離するとき、先に記載されたタイプと同じタイプの任意の他の装置との新たな関連付けを生成することができる。また、この関連付けする方法により、無線装置との関連付けがないある無線装置の最初の関連付けを変更することができ、該装置に対する最初の関連付けを与える。はじめに、本方法は、２つの装置のみに適用される。
【００１０】
したがって、本発明は、先に記載されたような無線装置を関連付けする方法に関し、この関連付けは、関連付けされる少なくとも２つの無線装置を接続することで変更可能である。
【００１１】
更なる改善によれば、２つの無線装置を関連付けする本方法は、ｎ個の装置に拡張することができる。ここで、ｎは３を超えるか又は３に等しい。
【００１２】
本発明の実施の形態によれば、２個の無線装置又はｎ個の無線装置を関連付けする方法は、関連付けされる装置間の物理リンクを通した通信により達成することができる。
【００１３】
本発明の他の実施の形態によれば、関連付けされるｎ個の無線装置は、物理的に連結されなければならない。すなわち、有線リンクがｎ個の無線装置間に存在しなければならず、（それらの前の関連付けされた装置（ｆｏｒｍｅｒ  ａｓｓｏｃｉａｔｅｓ）がバスに存在する場合を除いて）該それらの前の関連付けされた装置との無線通信に入ることは不可能でなければならない。
【００１４】
本発明の他の実施の形態によれば、その前の関連付けされた装置との無線通信に入ることが不可能な無線装置は、その前の関連付けされた装置との無線通信に入ることが可能な無線装置、又は該無線通信に入ることが不可能な無線装置に物理的にリンクされる。
【００１５】
本発明の他の特徴及び効果は、様々な実施の形態の記載を読むことで明らかとなるであろう。その記載は、添付図面を参照して提供される。
【発明を実施するための最良の形態】
【００１６】
以下では、ＩＥＥＥ１３９４規格に準拠したタイプのシリアルバスを介して、及びＨｉｐｅｒｌａｎ２に対応するタイプの無線通信ネットワークを介して、様々な通信装置を連結することが決定される。以下の実施の形態を例示するために使用される各種技術は、限定するものではなく、他の技術が利用される場合がある。同様に、装置を区別するために使用される一意的かつ永続的な識別子であるＥＵＩ−６４アドレスは、本発明を唯一可能とするものではない。たとえば、ＥＵＩ−６４アドレスの代わりに、メモリのシリアル番号を使用することもできる。
【００１７】
以下、２つ以上の無線装置を単一の有線バスに接続することにより、２つ以上の無線装置を関連付けするために使用される方法に関して説明する。なお、この関連付けが一旦行われると、１つの無線装置を除いて全ての無線装置は、最初のバスとネットワークを形成することが意図される他のバスに接続される最初のバスから切り離されることは明らかである。このことは、図１ａ及び図１ｂに例示されており、該図１ａは、同一のバス１１に接続される２つの無線装置１２，１３の関連付けを示しており、該図１ｂでは、２つの無線装置１２，１３により形成されるブリッジによりリンクされる２つのバス１０，１１からなるネットワークを形成するために、無線装置１２は、バス１１から切り離されて、バス１０に接続される。
【００１８】
好適な実施の形態では、ＥＵＩ−６４アドレスは、任意の装置の識別子として選択されている。それぞれの無線装置は、装置の製造に関して初期化されたオリジナルの関連付けを含んでいる場合がある。たとえば、それぞれの無線装置のオリジナルの関連付けは、それ自身の直後に続くＥＵＩ−６４アドレスを有する関連付け（無線装置０は、無線装置１、無線装置２、無線装置３と関連付けされる等である）であることが決定されている。
【００１９】
オリジナルの関連付けの値を決定するために、無線装置のＥＵＩ−６４アドレスと、６４ビットでエンコードされた数字１との間で排他的論理和を行うことで十分である。この最初の関連付けにより、ユーザは、特別な操作なしで直ぐに装置を使用することができる。さもなければ、最初の関連付けは、ブランクのままにすることができる。すなわち、その無線装置には、その製造において関連付けが割り当てられておらず、該無線装置を使用するために、ユーザ自身が該無線装置の最初の関連付けを行わなければならないことをユーザは通知される。しかし、装置が最初の関連付け又は（最初に関連付けされていない）ブランクの最初の関連付けを有するという事実は、関連付けの処理を変更するものではない。これは、無線装置が、該無線装置が関連付けされるべきである周辺装置との通信を求めるとき、該無線装置は通信することを試みないからである。以下の記載では、２つのみの装置を関連付けする方法がはじめに示される。つぎに、多数ｎの無線装置（ｎは２を超える整数）を関連付けするための２つの変形例が示される。
【００２０】
ここで、図２を参照して、２つの無線装置を関連付けする方法に関する実施の形態が説明される。関連付けされる２つの無線装置は、同一の１３９４バスに接続される。該バスへのそれぞれの新たな接続は、文献“ＩＥＥＥ  １３９４−１９９５  Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ”に規定される「バスリセット」と呼ばれるバスの再初期化を引き起こす。
【００２１】
本方法は、所与の無線装置について説明される。問題とする無線装置は、他の無線装置を発見するためにバスを調べる。たとえば、それが無線装置であるかを他の装置に示すために、それぞれの装置が固有のレジスタを有することが考慮される。無線装置を発見しない場合（ステップ２０）、その前の関連付け内容を保持し（ステップ２７）、本関連付けする方法を終了する。この前の関連付けとは、先に説明された最初の関連付けであるか、又は本方法の開始前に有していた関連付けのいずれかである。１を超える無線装置を発見した場合（ステップ２１）、その前の関連付け内容を保持する（ステップ２７）。これは、図２に示される方法は、２つの無線装置のみの間の関連付けを可能とするためである。適切な場合、無線装置ではない別の装置を発見した場合、その前の関連付け内容を保持し、本関連付けする方法を終了する。これは、２つの無線装置を関連付けするために、他の接続を有していないバスに該２つの無線装置を接続することが必要であると考慮されているためであるが、この基準は、該バス上にある無線装置ではない他の装置の存在が本方法の進行を妨げるものではないため、強制されるものではない。
【００２２】
唯一の他の無線装置を発見した場合、その前の関連付けされた無線装置との無線通信を達成することを試みる（ステップ２２）。これに成功した場合、その前の関連付け内容を保持し（ステップ２７）、本関連付けする方法を終了する。これは、この場合、前の関連付けがなお有効であるので、新たな関連付けを生成する理由がないためである。有効な関連付けの表現の意味は、その関連付けにより指定された関連付けされた無線装置が、その関連付けを使用するための試みがなされたときに、互いに無線通信が可能であるという事である。実際、この関連付けは、全て強化され、無線通信が可能なだけ十分に密接である。関連付けする方法を継続する前に、無線装置は必須ではない人為的な割込みのために待つ場合がある（ステップ２３）。
【００２３】
ネットワーク管理者により、新たな関連付けの生成が有効にされなければならない。人為的な割込みの例は、たとえば、無線装置に位置されるボタンを押すこと、又は任意の他の許可手段が考慮される。しかし、この人為的な割込みは必須ではない。２つの無線装置が、それらのそれぞれの前の関連付けされた無線装置に到達することができなかった場合、関連付けする方法を継続する。有線ネットワークを通して、２つの無線装置は、それぞれのＥＵＩ−６４アドレスをやり取りし、２つの無線装置のそれぞれが到達できた事、又はその前の関連付けされた無線装置との通信において、関連付けのプロトコルを継続する準備があるか否かに関する事に関する指示をやり取りする（ステップ２４，２５）。関連付けのプロトコルを継続する準備があることを２つの無線装置が示す場合、通信を確立することなしに（ｗｉｔｈｏｕｔ  ｃｏｎｔａｃｔ）、連続して対話可能なように、それぞれの一方が他方の番号をメモリ（変更可能なメモリ、たとえば、不揮発性であるが変更可能なフラッシュメモリ）に入力する（ステップ２６）。さもなければ、関連付けのプロトコルに割込みする。
【００２４】
先に説明された本発明の好適な実施の形態によれば、特定の装置を共同で使用すること、及び関連付けする方法を共同で使用することで、２つの無線装置に関する新たな関連付けを形成することができる。次いで、オリジナルの関連付けを変更して、それ自身が変更可能な新たな関連付けにより置き換えることができる。このように、最初に関連付けされた無線装置は分離することができ、それぞれの無線装置は、それ自身使用可能であり、その最初の関連付けにはもはや依存しない。
【００２５】
さらに、２つの無線装置の関連付けが可能であるために、仲介なしに該２つの無線装置を互いに接続して、関連付けを形成可能にすることが必要とされる。２つの装置を連結することは、有線ネットワークを生成する。以下について、この変形例は、先に説明された方法に類似した方法を使用する。
【００２６】
第一の実施の形態では、本方法は、ｎ個の装置に拡張される。ここで、ｎは３を超えるか又は３に等しい。２以上の無線装置を関連付けして、２を超えるバスの間で無線リンクを形成可能とすることは確かに有効である。したがって、先に説明された方法を変更して、該方法を同一の装置が幾つかの関連付けされた装置を有する場合がある可能性に適合させる必要がある。この第二の例では、２つの変形例が考えられる。第一の変形例は、関連付けされる全ての無線装置を同一のＩＥＥＥ１３９４規格に準拠するタイプのバスに接続し、これら全ての無線装置を互いに所定の条件下で関連付けすることからなる。第二の変形例は、所定の条件下で、既に互いに関連付けされている無線装置からなるセットに新たな無線装置を追加することからなる。この後者の変形例では、追加される無線装置、及び前のセットの無線装置のうちの１つのみが同じバスに接続される必要がある。
【００２７】
図３に示されるように、第一の変形例での拡張機能は、関連付けされる全ての無線装置を同一のバスに接続することからなる。２つの無線装置について先に記載された方法は変更され、該方法は３以上の多数の関連付けされた無線装置に適合される。関連付けする方法を実現するための主要な条件は、該バスに接続されていない別の無線装置と既に関連付けされなければならない関連付けされる無線装置はないことである。これは、それら全てを同一のバスに接続することで、関連付けされた無線装置の幾つかの固有なグループに属する全ての装置は、同一のグループに関連付けることができる。実際、２つの無線装置の関連付けに関して、関連付けされる全ての無線装置が接続されるバスの再起動に続いて、それぞれの無線装置はバスを調べる。
【００２８】
無線装置のうちの１つの処理が考慮される。有線ネットワークに他の無線装置が発見されない場合（ステップ３０）、その前の関連付け内容を保持し（ステップ３５）、関連付けする処理を終了する。選択的に、無線装置ではない別の装置を発見した場合、その前の関連付け内容を保持して、関連付けする処理を終了する。該バス上の他の装置を発見した場合、既に該バス上に存在する装置を除いて、その前の関連付けされた無線装置との無線通信を試みる（ステップ３１）。該無線通信に成功した場合、その前の関連付け内容を保持して、関連付けの処理を終了する。関連付けを進める前に、無線装置は、必須ではない人為的な割込みのために待つことができる（ステップ３２）。その前の関連付けされた無線装置との通信の確立に入ることができない場合、関連付けのプロトコルを開始する。有線ネットワークを通して、その無線装置は、接続された無線装置からそのＥＵＩ−６４アドレスを要求し、その無線装置がその前の関連付けされた無線装置の少なくとも１つと通信することに成功したかを互いの無線装置について示す応答を要求する。問題とする無線装置は、全ての応答を受け（ステップ３３）、それらのＥＵＩ−６４アドレスを変更可能なメモリに入力することで（ステップ３４）、通信の確立に成功していないことを示す応答を送出したそれぞれの無線装置とそれ自身を関連付けする。
【００２９】
本発明の拡張となる第一の変形例は、したがって、２を超える装置を使用して、幾つかの無線装置の全てを同一のバスに接続することで、幾つかの無線装置を互いに関連付けすることができる。これにより、これら無線装置であるポータルの手段により、幾つかのバス間での連続したブリッジの情報がイネーブルになる。この関連付けは簡単であり、多数の無線装置を同時に関連付けするために使用される。しかし、この関連付けを実現するために、関連付けされる全ての無線装置を同一のバスに接続可能であることが必要であり、これは、常に可能ではない。実際に、現在使用している無線装置は、それらのバスから切り離すべきではない。他方で、バスに接続された無線装置と存在する装置以外の有効な関連付けを有しない無線装置が必要とされる。すなわち、これらの無線装置は、該バス上に位置しないそれらの関連付けされた無線装置と通信を確立することなしに情報を伝達することができない。
【００３０】
したがって、第二の変形例は、所定の条件下で、既に互いに関連付けされている無線装置のセットに新たな無線装置を追加するために使用される。追加される無線装置、及び前のセットの無線装置のうちの１つは、同一のバスに接続され、該バスは、ある無線装置のセットと既に関連付けされている無線装置が既に接続されているバスとすることができる。バス上の新たな無線装置を追加することは、バスの再起動（バスリセット）を引き起こし、該バスに接続される装置によるバスの調査の手順を生じさせる。無線装置のうちの任意の１つについて、該調査の方法に対する考慮が与えられる。バスに接続される他の無線装置を発見していない場合（ステップ４０）、その前の関連付け内容を保持し（ステップ４６）、関連付けする方法を終了する。また、１を超える無線装置を発見した場合（ステップ４１）、その前の関連付け内容を保持する。唯一の他の無線装置を発見した場合、その前の関連付けされた無線装置との無線通信を試みる（ステップ４２）。無線通信が成功した場合、関連付けのプロトコルを継続するが、少なくとも１つのその前の関連付けされた無線装置との無線通信に成功したことを内部に記憶する。関連付けのプロトコルを開始するために、無線装置は、人為的な操作を待ち（ステップ４３）、この人為的な操作は、このケースでは必須である。これは、図５ａに示されるように、２つの無線装置５４，５５が同一のバスに接続され、該バスは２つの他のバス５０，５２に関連付け５３−５４，５５−５６により形成される２つの無線装置を介してリンクすることができることを確かに想像することができるため、人為的な割り込みは、ここでは必須とされる。該バス５２が図５ａ、図５ｂのように削除される場合、２つの無線装置５４，５５は、さもなければループを形成するために関連付けする必要がない。したがって、このケースでは、人為的な割込みは必須である。全ての前述の条件が実現され、関連付けが人為的な割込みにより可能とされた場合、該バスに接続される２つの無線装置が、バスを介して関連付けのプロトコルを開始する。２つの無線装置が少なくとも１つの有効な関連付けをなお有する場合（ステップ４４）、２つの無線装置の両者は、それらの前の関連付けを共に保持する。２つの無線装置のうちの少なくとも１つが有効な関連付けを有しない場合（ステップ４４）、該少なくとも１つの無線装置は、自身を他の無線装置と関連付けし、及び自身を全てのその関連付けされた無線装置と関連付けする。
【００３１】
したがって、この第二の変形例は、既に存在する無線装置のセットと無線装置を関連付けするためのものであり、この処理は、同じバスに全ての無線装置を接続するために、使用される全ての無線装置は切り離される必要がない。追加される無線装置を既に存在する無線装置のセットと関連付け可能とするために、該追加される無線装置を別の無線装置を備えるバスの１つに接続することは十分である。
【００３２】
図６は、無線装置の一般的なソフトウェア構成を示している。ＩＥＥＥ１３９４対応のバスに接続可能な全ての装置の一部に類似した部分６０を備えている。レイヤ６１は、各種アプリケーション、特に、関連付けする方法を管理するアプリケーションを備えている。レイヤ６２は、ＩＥＥＥ１３９４規格に準拠するネットワークとＨｉｐｅｒｌａｎ２ネットワークとの間のコンバージェンスのレイヤであり、最後に、Ｈｉｐｅｒｌａｎ２を介した通信に固有なレイヤ６３である。
【００３３】
図７は、無線装置７０のブロック図である。無線装置７０は、物理インタフェース７２とリンク回路７３を通して、参照符号７１であるＩＥＥＥ１３９４規格に準拠したシリアルバスに接続される。このリンク回路は、無線装置７０の内部パラレルバス７４にリンクされる。マイクロプロセッサ７５は、メモリ７７同様に、入力／出力管理回路７６を備える無線装置を管理する。これら最後の３つの要素は、パラレルバス７４にリンクされる。また、無線装置７０は、アンテナ８０を介してＨｉｐｅｒｌａｎ２ネットワーク８１に接続可能にする別のリンク回路７８及び物理インタフェース７９を備えている。
【００３４】
好適には、マイクロプロセッサは、関連付けする方法を実現する役割を負う。すなわち、ネットワークを調査するステップ、並びに有線ネットワーク７０及びＨｉｐｅｒｌａｎ２無線ネットワークを介して通信するステップを実行する。再起動後に存在する無線装置に関する情報は、たとえば、再書込み可能なメモリ７７に記憶される。
【００３５】
特許請求の範囲に定義されるように、本発明の範囲から逸脱されることなしに、その実現に関して、本方法に対して変更がなされることを理解されたい。
【図面の簡単な説明】
【００３６】
【図１】２つの無線装置の関連付けを例示する図である。
【図２】２つの無線装置の関連付けの手順を説明するフローチャートである。
【図３】幾つかの無線装置の全てを同一のバスに接続することにより、幾つかの無線装置を関連付けする手順を説明するフローチャートである。
【図４】１つの無線装置を既に関連付けされている無線装置のセットに関連付けする手順を説明するフローチャートである。
【図５ａ】無線ブリッジによりリンクされる幾つかのバスを表す図である。
【図５ｂ】無線ブリッジによりリンクされる幾つかのバスを表す図である。
【図６】無線装置及びその幾つかの部分の一般的な構成図である。
【図７】無線装置のブロック図である。
【図１】
2005503720.tif 000003
【図２】
2005503720.tif 000004
【図３】
2005503720.tif 000005
【図４】
2005503720.tif 000006
【図６】
2005503720.tif 000007
【国際公開パンフレット】
2005503720.tif 000008
2005503720.tif 000009
2005503720.tif 000010
2005503720.tif 000011
2005503720.tif 000012
2005503720.tif 000013
2005503720.tif 000014
2005503720.tif 000015
2005503720.tif 000016
2005503720.tif 000017
2005503720.tif 000018
2005503720.tif 000019
2005503720.tif 000020
2005503720.tif 000021
2005503720.tif 000022
2005503720.tif 000023
2005503720.tif 000024
2005503720.tif 000025
2005503720.tif 000026
2005503720.tif 000027
2005503720.tif 000028
【国際調査報告】
2005503720.tif 000029
2005503720.tif 000030
2005503720.tif 000031
2005503720.tif 000032